(57)【要約】【課題】プレビュー表示される画像の色を操作者の意図に沿って調整可能とすること。【解決手段】印刷装置により再現可能な色域に調整された印刷デバイスに依存する色空間のカラーデータ値に基づいて、複数の印刷用色見本画像が形成された調整用チャートを印刷装置に出力させ、複数の印刷用色見本画像の色を示す印刷デバイスに依存する色空間のカラーデータ値の各々を表示デバイスに依存する色空間のカラーデータ値に変換し、表示デバイスに依存する色空間のカラーデータ値に基づいて複数の印刷用色見本画像それぞれに対応する複数の表示用色見本画像を表示し、複数の表示用色見本画像それぞれを操作者に順次提示し、提示した表示用色見本画像の色と対応する印刷用色見本画像の色とに基づいて操作者により入力される色調整情報に基づき、提示した表示用色見本画像の色を示すカラーデータ値を調整する印刷プレビュー装置。【選択図】図３
2012004931.tif 000002
【特許請求の範囲】
【請求項１】
印刷装置により再現可能な色域に調整された、印刷デバイスに依存する色空間のカラーデータ値に基づいて、複数の印刷用色見本画像が形成された調整用チャートを前記印刷装置に出力させる出力手段と、
前記複数の印刷用色見本画像の色を示す前記印刷デバイスに依存する色空間のカラーデータ値の各々を、表示デバイスに依存する色空間のカラーデータ値に変換する変換手段と、
前記変換手段により変換された前記表示デバイスに依存する色空間のカラーデータ値に基づいて前記複数の印刷用色見本画像それぞれに対応する複数の表示用色見本画像を表示する表示手段と、
前記表示手段に表示された複数の表示用色見本画像それぞれを操作者に順次提示し、当該提示した表示用色見本画像の色と当該提示した表示用色見本画像に対応する前記印刷用色見本画像の色とに基づいて前記操作者により入力される色調整情報に基づき、当該提示した表示用色見本画像の色を示すカラーデータ値を調整する調整手段と、
を備えること、
を特徴とする印刷プレビュー装置。
【請求項２】
前記調整手段は、
前記操作者に提示した前記表示用色見本画像それぞれに対して、
当該提示した表示用色見本画像に対応する前記印刷用色見本画像の色が、前記表示手段により再現可能な色域外の色である場合、
当該印刷用色見本画像に対応する前記表示用色見本画像を前記表示手段により再現可能な色域内に圧縮するための圧縮方法を前記操作者に対して複数種類提示し、
前記操作者により選択された圧縮方法を適用して、前記表示用色見本画像の色を示すカラーデータ値を調整すること、
を特徴とする請求項１に記載の印刷プレビュー装置。
【請求項３】
前記操作者に対して提示する圧縮方法は、
前記表示手段により再現可能な色域内の色を用いて、前記印刷用色見本画像の階調性を重視する圧縮方法、
前記印刷用色見本画像の色と、前記表示手段により再現可能な色域の色との正確性を重視する圧縮方法、
であること、
を特徴とする請求項２に記載の印刷プレビュー装置。
【請求項４】
前記色調整情報は、
前記表示用色見本画像の色の色相、明度、彩度の少なくともいずれか一つの調整情報を含むこと、
を特徴とする請求項１から３のいずれか一項に記載の印刷プレビュー装置。
【請求項５】
前記色調整情報は、
前記表示用色見本画像の色の色彩値と、当該表示用色見本画像に対応する前記印刷用色見本画像の色の色彩値とを含むこと、
を特徴とする請求項１から３のいずれか一項に記載の印刷プレビュー装置。
【請求項６】
前記印刷用色見本画像は、
連続的に階調が変化する帯状画像と、当該帯状画像の複数の階調の色を示すパッチ画像と、を含むこと、
を特徴とする請求項１から５のいずれか一項に記載の印刷プレビュー装置。
【請求項７】
コンピュータを、
印刷装置により再現可能な色域に調整された、印刷デバイスに依存する色空間のカラーデータ値に基づいて、複数の印刷用色見本画像が形成された調整用チャートを前記印刷装置に出力させる出力手段、
前記複数の印刷用色見本画像の色を示す前記印刷デバイスに依存する色空間のカラーデータ値の各々を、表示デバイスに依存する色空間のカラーデータ値に変換する変換手段、
前記変換手段により変換された前記表示デバイスに依存する色空間のカラーデータ値に基づいて前記複数の印刷用色見本画像それぞれに対応する複数の表示用色見本画像を表示する表示手段、
前記表示手段に表示された複数の表示用色見本画像それぞれを操作者に順次提示し、当該提示した表示用色見本画像の色と当該提示した表示用色見本画像に対応する前記印刷用色見本画像の色とに基づいて前記操作者により入力される色調整情報に基づき、当該提示した表示用色見本画像の色を示すカラーデータ値を調整する調整手段、
として機能させるためのプログラム。
【発明の詳細な説明】
【技術分野】
【０００１】
本発明は、印刷プレビュー装置及びプログラムに関する。
【背景技術】
【０００２】
近年、プリンタ、コピー等の印刷装置により画像データに基づいて用紙上に形成される画像を事前に確認するために、当該画像をモニタ等の表示装置に表示（プレビュー）する技術がある。しかし、印刷装置では、例えばシアン（Ｃ）、マゼンタ（Ｍ）、イエロー（Ｙ）、ブラック（Ｋ）のトナー色で色を生成し、表示装置では、レッド（Ｒ）、グリーン（Ｇ）、ブルー（Ｂ）の光の三原色で色を生成するため、それぞれ色域が異なり、色再現性に違いが生じて画像の印象が一致しなかった。
【０００３】
そのため、プレビューを行う画像データに対し、表示装置と印刷装置との色空間範囲の補正、ガンマ誤差の補正、カラーマスキング等の画像処理を施し、また、絶対輝度レベルの補正を行う技術が開示されている（特許文献１参照）。
【０００４】
また、表示したプレビュー画像に対応するテスト用の印刷物を出力し、プレビュー画像とテスト用の印刷物との色みを適合させる調整が操作者によってなされると、その調整値に基づきプレビュー画像の色の変更と、調整値に基づきキャリブレーションを行って色相環及び明度の調整を行い、また、プレビュー画像とテスト用の印刷物との色みを適合させる調整が操作者によってなされると、調整値とキャリブレーションを反映させて印刷データを生成して印刷物を出力する技術が開示されている（特許文献２参照）。
【先行技術文献】
【特許文献】
【０００５】
【特許文献１】特開平７−８７５２１号公報
【特許文献２】特開２００８−１６０３８８号公報
【発明の概要】
【発明が解決しようとする課題】
【０００６】
特許文献１では、色域全体に対して、予め設定された色再現性の補正処理を行って調整するものであり、操作者が所望の色について調整を行うことができない。特許文献２では、印刷装置により形成される画像の色に、表示装置によりプレビュー表示される画像の色を適合させる技術であり、色相・明るさ・コントラストを全体的に変更するものである。そのため、部分的な調整（例えば、特定の色相のみ色再現性を変えることや、複数の色をそれぞれ異なった方向の色再現性に変えること等）はできない。更に、特許文献１及び特許文献２では、印刷装置の色域が表示装置の色域よりも広い部分についての調整は、行うことができない。
【０００７】
また、実際に用紙に画像を形成する前に、形成される画像の色を確認するためにプレビュー表示する場合には、印刷装置に入力された画像データを表示装置での表示データに直接変換するのではなく、実際のプリント設定に沿って各種画像処理が行われた最終的な画像データを表示データに変換してプレビュー表示しなければならない。
【０００８】
しかし、表示装置でのプレビュー表示される画像の色再現性の精度は当てにならないことがある。これは、表示装置において、キャリブレーションの実行やプロファイルの作成及び運用は、煩雑・難解であったり専用の測定器やソフトウエアが必要となりコストが増大したりするため、適切に行われていないためである。また、表示装置に対して専用の色変換用のプロファイルがある場合でも、操作者によって輝度等の設定変更が行われたり表示装置の劣化等が生じたりすることにより、発色が変化するためである。更に、観察環境による画像の見え方の差や、操作者の個人差による色調の感じ方の差により、プレビュー表示された画像が用紙に形成された画像と同一の色再現が得られていないように見えるためである。
【０００９】
しかしながら、色変換技術の多種多様化による高機能化や、色再現性の要求の高まりに加え、省資源化や経済的な面からも、実際に用紙に画像を形成する前にプレビュー表示により画像の色を確認することは、重要性が高くなっている。
そのため、簡便な操作手順かつ低コストで、プレビュー表示される画像の色を用紙に形成される画像の色に操作者の意図に応じて調整可能とすることが求められている。
【００１０】
本発明の課題は、上記問題に鑑みて、プレビュー表示される画像の色を操作者の意図に沿って調整可能とすることである。
【課題を解決するための手段】
【００１１】
請求項１に記載の発明は、印刷装置により再現可能な色域に調整された、印刷デバイスに依存する色空間のカラーデータ値に基づいて、複数の印刷用色見本画像が形成された調整用チャートを前記印刷装置に出力させる出力手段と、前記複数の印刷用色見本画像の色を示す前記印刷デバイスに依存する色空間のカラーデータ値の各々を、表示デバイスに依存する色空間のカラーデータ値に変換する変換手段と、前記変換手段により変換された前記表示デバイスに依存する色空間のカラーデータ値に基づいて前記複数の印刷用色見本画像それぞれに対応する複数の表示用色見本画像を表示する表示手段と、前記表示手段に表示された複数の表示用色見本画像それぞれを操作者に順次提示し、当該提示した表示用色見本画像の色と当該提示した表示用色見本画像に対応する前記印刷用色見本画像の色とに基づいて前記操作者により入力される色調整情報に基づき、当該提示した表示用色見本画像の色を示すカラーデータ値を調整する調整手段と、を備える印刷プレビュー装置である。
【００１２】
請求項２に記載の発明は、請求項１に記載の印刷プレビュー装置において、前記調整手段は、前記操作者に提示した前記表示用色見本画像それぞれに対して、当該提示した表示用色見本画像に対応する前記印刷用色見本画像の色が、前記表示手段により再現可能な色域外の色である場合、当該印刷用色見本画像に対応する前記表示用色見本画像を前記表示手段により再現可能な色域内に圧縮するための圧縮方法を前記操作者に対して複数種類提示し、前記操作者により選択された圧縮方法を適用して、前記表示用色見本画像の色を示すカラーデータ値を調整すること、を特徴とする。
【００１３】
請求項３に記載の発明は、請求項２に記載の印刷プレビュー装置において、前記操作者に対して提示する圧縮方法は、前記表示手段により再現可能な色域内の色を用いて、前記印刷用色見本画像の階調性を重視する圧縮方法、前記印刷用色見本画像の色と、前記表示手段により再現可能な色域の色との正確性を重視する圧縮方法、であること、を特徴とする。
【００１４】
請求項４に記載の発明は、請求項１から３のいずれか一項に記載の印刷プレビュー装置において、前記色調整情報は、前記表示用色見本画像の色の色相、明度、彩度の少なくともいずれか一つの調整情報を含むこと、を特徴とする。
【００１５】
請求項５に記載の発明は、請求項１から３のいずれか一項に記載の印刷プレビュー装置において、前記色調整情報は、前記表示用色見本画像の色の色彩値と、当該表示用色見本画像に対応する前記印刷用色見本画像の色の色彩値とを含むこと、を特徴とする。
【００１６】
請求項６に記載の発明は、請求項１から５のいずれか一項に記載の印刷プレビュー装置において、前記印刷用色見本画像は、連続的に階調が変化する帯状画像と、当該帯状画像の複数の階調の色を示すパッチ画像と、を含むこと、を特徴とする。
【００１７】
請求項７に記載の発明は、コンピュータを、印刷装置により再現可能な色域に調整された、印刷デバイスに依存する色空間のカラーデータ値に基づいて、複数の印刷用色見本画像が形成された調整用チャートを前記印刷装置に出力させる出力手段、前記複数の印刷用色見本画像の色を示す前記印刷デバイスに依存する色空間のカラーデータ値の各々を、表示デバイスに依存する色空間のカラーデータ値に変換する変換手段、前記変換手段により変換された前記表示デバイスに依存する色空間のカラーデータ値に基づいて前記複数の印刷用色見本画像それぞれに対応する複数の表示用色見本画像を表示する表示手段、前記表示手段に表示された複数の表示用色見本画像それぞれを操作者に順次提示し、当該提示した表示用色見本画像の色と当該提示した表示用色見本画像に対応する前記印刷用色見本画像の色とに基づいて前記操作者により入力される色調整情報に基づき、当該提示した表示用色見本画像の色を示すカラーデータ値を調整する調整手段、として機能させるためのプログラムである。
【発明の効果】
【００１８】
請求項１、７に記載の発明によれば、操作者に提示した表示用色見本画像の色と、当該提示した表示用色見本画像に対応する印刷用色見本画像の色と、に基づいて操作者により入力される色調整情報に基づき、当該提示した表示用色見本画像の色を示す表示デバイスに依存する色空間のカラーデータ値を調整することができるため、プレビュー表示される画像の色を用紙に形成される画像の色に操作者の意図に沿って調整可能となる。
【００１９】
請求項２に記載の発明によれば、請求項１と同様の効果を得られるのは勿論のこと、印刷用色見本画像の色が、表示手段により再現可能な色域外の色である場合には、印刷用色見本画像に対応する表示用色見本画像を表示手段により再現可能な色域内に圧縮するための圧縮方法を操作者に対して複数種類提示でき、操作者により選択された圧縮方法を適用して、表示用色見本画像の色を示すカラーデータ値を調整することができるため、印刷デバイスに依存する色空間のカラーデータ値が、表示デバイスに依存する色空間外であっても、操作者の意図に沿った圧縮方法を適用して、プレビュー表示される画像の色が調整可能となる。
【００２０】
請求項３に記載の発明によれば、請求項２と同様の効果を得られるのは勿論のこと、表示手段により再現可能な色域内の色を用いて印刷用色見本画像の階調性を重視する圧縮方法と、印刷用色見本画像の色と表示手段により再現可能な色域の色との正確性を重視する圧縮方法と、を適用して、表示用色見本画像の色を示すカラーデータ値を調整することができる。
【００２１】
請求項４に記載の発明によれば、請求項１から３のいずれか一項と同様の効果を得られるのは勿論のこと、表示用色見本画像の色の色相、明度、彩度の少なくともいずれか一つの調整情報を含む色調整情報に基づき、表示用色見本画像の色を示すカラーデータ値を調整することができる。
【００２２】
請求項５に記載の発明によれば、請求項１から３のいずれか一項と同様の効果を得られるのは勿論のこと、表示用色見本画像の色の色彩値と、当該表示用色見本画像に対応する印刷用色見本画像の色の色彩値とを含む色調整情報に基づき、表示用色見本画像の色を示すカラーデータ値を調整することができる。
【００２３】
請求項６に記載の発明によれば、請求項１から５のいずれか一項と同様の効果を得られるのは勿論のこと、連続的に階調が変化する帯状画像と、当該帯状画像の複数の階調の色を示すパッチ画像と、を含む印刷用色見本画像を用いることができる。
【図面の簡単な説明】
【００２４】
【図１】実施の形態１における印刷プレビュー装置の機能的構成図である。
【図２】調整用チャートの例を示す図である。
【図３】実施の形態１における表示色調整処理のフローチャートである。
【図４】プレビュー画面の例を示す図である。
【図５】色調整画面の例を示す図である。
【図６】色調整画面の例を示す図である。
【図７】色域圧縮方法調整画面の例を示す図である。
【図８】階調性重視圧縮方法による圧縮方法と正確性重視圧縮方法による圧縮方法とのイメージ図である。
【図９】スライドボタンが指し示す階調に応じた色域圧縮方法調整画面の一部分の例を示す図である。
【図１０】実施の形態１におけるプレビュー処理のフローチャートである。
【図１１】実施の形態２における印刷プレビュー装置の機能的構成図である。
【図１２】実施の形態２における表示色調整処理のフローチャートである。
【発明を実施するための形態】
【００２５】
［実施の形態１］
以下、図を参照して本発明の実施の形態１を詳細に説明する。
まず、構成を説明する。
【００２６】
図１に、本実施の形態１における印刷プレビュー装置１の機能的構成図を示す。
図１に示すように、印刷プレビュー装置１は、制御部１０と、不揮発メモリ１１と、ＲＡＭ（Random Access Memory）１２と、操作表示部１３と、出力部１４と、通信部１５等を備え、各部は電気的に接続されており制御部１０によって制御されている。
本実施の形態１における印刷プレビュー装置１は、通信ネットワークＮを介して印刷装置２と接続され、プリンタコントローラ機能を備えた一般的なＰＣ（Personal Computer）を用いることができる。
【００２７】
印刷装置２は、印刷デバイスに依存する色空間のカラーデータ値（ＣＭＹＫ値）の印刷画像データに基づいて、シアン（Ｃ）、マゼンタ（Ｍ）、イエロー（Ｙ）、ブラック（Ｋ）のトナーにより画像を形成する電子写真方式のプリンタである。印刷装置２は、印刷プレビュー装置１やその他の装置等から印刷画像データを受信し、受信した印刷画像データに基づいて画像を用紙上に形成して出力する。
【００２８】
制御部１０は、ＣＰＵ（Central Processing Unit）等から構成され、不揮発メモリ１１に格納されているシステムプログラム及び各種アプリケーションプログラムの中から指定されたプログラムを読み出してＲＡＭ１２に展開し、ＲＡＭ１２に展開されたプログラムとの協働で、各種処理を実行し、印刷プレビュー装置１の各部を集中制御する。
【００２９】
更に、制御部１０は、不揮発メモリ１１から本実施の形態１に係る表示色調整処理プログラム、プレビュー処理プログラム、及び各種データを読み出してＲＡＭ１２に展開し、当該プログラム及びデータの協働により表示色調整処理やプレビュー処理を実行させ、調整手段として機能する。
【００３０】
プレビュー処理は、ジョブデータに基づく画像をプレビュー表示させる処理であり、ジョブデータに基づく画像が印刷装置２で出力される前に操作者が当該画像を確認するために実行される。
【００３１】
表示色調整処理では、まず、複数の印刷用色見本画像が形成された調整用チャートが印刷装置２から出力される。
また、複数の印刷用色見本画像の色を示す印刷デバイスに依存する色空間のカラーデータ値（ＣＭＹＫ値）の各々が、表示デバイスに依存する色空間のカラーデータ値（ＲＧＢ値）に変換され、当該変換された表示デバイスに依存する色空間のカラーデータ値（ＲＧＢ値）に基づいて複数の印刷用色見本画像にそれぞれ対応する複数の表示用色見本画像（調整用チャートのプレビュー画像）を表示するプレビュー画面が操作表示部１３の表示部１３ａに表示される。
【００３２】
次に、本実施の形態１における表示色調整処理では、プレビュー画面上の複数の表示用色見本画像それぞれを順次提示する色調整画面が表示部１３ａに表示され、提示された表示用色見本画像の色と、当該提示された表示用色見本画像に対応する印刷用色見本画像の色と、に基づいて操作者により入力される色相、彩度、明度の調整情報を含む色調整情報が取得される。この取得された色調整情報に基づき、提示した表示用色見本画像の色を示すカラーデータ値（ＲＧＢ値）が調整される。
【００３３】
また、表示色調整処理では、提示した表示用色見本画像に対応する印刷用色見本画像の色が、表示部１３ａにより再現可能な色域外の色である場合、当該印刷用色見本画像に対応する表示用色見本画像を表示部１３ａにより再現可能な色域内に圧縮するための圧縮方法を操作者に対して複数種類提示する色域圧縮方法調整画面が表示部１３ａに表示される。この色域圧縮方法調整画面により操作者が選択した圧縮方法を適用して、表示用色見本画像の色を示すカラーデータ値を調整するための補正データが生成され、当該補正データが不揮発メモリ１１に記憶される。
【００３４】
図２に、調整用チャートの例を示す。
図２に示すように、調整用チャート１００には、ブラック（Ｋ）、シアン（Ｃ）、マゼンタ（Ｍ）、イエロー（Ｙ）の一次色、及び、シアン（Ｃ）、マゼンタ（Ｍ）、イエロー（Ｙ）による２次色（グリーン（Ｇ）、ブルー（Ｂ）、レッド（Ｒ））の色毎に、グラデーション画像と複数のパッチ画像とを含む印刷用色見本画像が形成されている。
【００３５】
グラデーション画像は、連続的に階調が変化する帯状画像である。図２では、純白（Ｃ＝０％、Ｍ＝０％、Ｙ＝０％、Ｋ＝０％）からベタ色への階調が変化するものである。例えば、図２に示すブラック（Ｋ）のグラデーション画像１１１は、純白（Ｃ＝０％、Ｍ＝０％、Ｙ＝０％、Ｋ＝０％）から黒ベタ（Ｃ＝０％、Ｍ＝０％、Ｙ＝０％、Ｋ＝１００％）へ階調が変化するものである。
【００３６】
パッチ画像は、グラデーション画像が表現する複数の階調値の色のうちの所定の階調値の色を示すパッチ画像である。例えば、図２に示すブラック（Ｋ）のパッチ画像１１２ａ〜１１２ｋは、階調値が１０％毎に異なる色のパッチ画像であり、パッチ画像１１２ａは０％、パッチ画像１１２ｂは１０％、・・・、パッチ画像１１２ｋは１００％、の階調値の色の画像である。
また、階調値が１００％、即ち、ベタ色のパッチ画像（例えば、パッチ画像１１２ｋ）を基本色パッチとも称する。各色の基本色パッチの色は、表示部１３ａにより再現可能な色域の最外周に位置する。
【００３７】
なお、黒ベタから各色のベタ色へのグラデーション画像と、当該グラデーション画像の複数の階調値の色に対するパッチ画像とを印刷用色見本画像としてもよい。
また、必要に応じて、純白又は黒ベタから特定色へのグラデーション画像と当該グラデーション画像の複数の階調値の色に対するパッチ画像とを印刷用色見本画像としてもよい。この場合、特定色として用いる色は、高彩度の色（特定色を構成するＣ，Ｍ，Ｙの少なくともいずれか一つの階調が１００％）であることが好ましい。
【００３８】
不揮発メモリ１１は、システムプログラム及び各種アプリケーションプログラム、各種データの他、本実施の形態１に係る表示色調整処理プログラム、プレビュー処理プログラム、及びこれらのプログラムの実行に必要な各種データ、各種プログラムで処理されたデータ等を記憶する。
【００３９】
ＲＡＭ１２は、制御部１０により実行される各種プログラム及びこれらプログラムに係る各種データ等を一時的に記憶するワークエリアを形成すると共に、操作表示部１３により受け付けられた各種情報等を記憶する。
【００４０】
操作表示部１３は、ＬＣＤ（Liquid Crystal Display）やＥＬ（Electro-Luminescence）ディスプレイ等の表示デバイスから成り表示手段として機能する表示部１３ａ、表示部１３ａを覆うように設けられたタッチパネル、テンキー等の各種操作キー群から成る入力部１３ｂから構成される。操作表示部１３は、制御部１０から入力される表示信号に従って、各種画面や各種処理結果等を表示部１３ａに表示させる。また、操作表示部１３は、入力部１３ｂを構成する各種スイッチやボタン、テンキー、操作キー群又はタッチパネルから入力される操作信号を制御部１０に出力する。
【００４１】
出力部１４は、通信ネットワークＮに接続されている印刷装置２やその他装置（不図示）とのデータ通信の管理及び制御を行うものであり、制御部１０からの指示に従って、印刷画像データを印刷装置２へ出力するプリンタドライバの機能をも有する。
【００４２】
通信部１５は、ＵＳＢドライバ等の各種外部装置のドライバを備え、ＵＳＢケーブル等の通信回線を介して外部装置とのデータ通信の制御等を行う。
【００４３】
次に、本実施の形態１の動作を説明する。
図３に、本実施の形態１における表示色調整処理のフローチャートを示す。
本実施の形態１における表示色調整処理は、制御部１０が表示色調整処理プログラムを実行することにより実現されるものである。
【００４４】
まず、制御部１０は、調整用チャートを印刷装置２に出力させる（ステップＳ１）。
ステップＳ１では、制御部１０は、不揮発メモリ１１に予め記憶されている複数の印刷用色見本画像の画像データを読み出し、当該画像データに対してキャリブレーション等の各種画像処理を実行する。そして、各種画像処理済みの画像データをＩＣＣ（International Color Consortium）プロファイルに準拠したプリンタプロファイル基づいて、印刷デバイスに依存する色空間のカラーデータ値（ＣＭＹＫ値）の印刷画像データに変換し、生成する。そして、制御部１０は、印刷装置２により再現可能な色域に変換されたＣＭＹＫ値の印刷画像データを、出力部１４により印刷装置２へ出力させる。印刷装置２では、入力された印刷画像データに基づいて調整用チャートを出力する。
従って、ステップＳ１により、制御部１０は、調整用チャートを印刷装置に出力させる出力手段として機能する。
【００４５】
制御部１０は、ステップＳ１において調整用チャートを出力するために生成したＣＭＹＫ値の印刷画像データを色彩値のデータに変換する（ステップＳ２）。
色彩値を表す表色系には、Ｌ＊ａ＊ｂ＊やＬ＊ｕ＊ｖ＊等、いくつか種類があり、それぞれ定義の仕方が異なるが、基本的には、明度を表す軸（Ｌ＊等）と彩度及び色相を表す面（ａ＊ｂ＊平面等）からなる空間に色彩値が配置されている。本実施の形態１では、色彩値を表す表色系としてＬ＊ａ＊ｂ＊表色系を用いる。
【００４６】
更に、制御部１０は、ステップＳ２で生成した色彩値（Ｌ＊ａ＊ｂ＊）のデータを、ＩＣＣプロファイルに準拠したモニタプロファイルに基づいて、表示デバイスに依存する色空間のカラーデータ値（ＲＧＢ値）の表示画像データに変換する（ステップＳ３）。
【００４７】
ステップＳ２及びステップＳ３により、制御部１０は、複数の印刷用色見本画像の色を示す印刷デバイスに依存する色空間のカラーデータ値の各々を、表示デバイスに依存する色空間のカラーデータ値に変換する変換手段として機能することとなる。
【００４８】
制御部１０は、表示部１３ａにより再現可能な色域に変換されたＲＧＢ値の表示画像データに基づいて、調整用チャートのプレビュー画像を表示するプレビュー画面を表示部１３ａに表示させる（ステップＳ４）。
【００４９】
図４に、ステップＳ４において表示されるプレビュー画面の例を示す。
図４に示すように、プレビュー画面Ｇ１には、ステップＳ３において生成された表示画像データに基づいて調整用チャートに形成された複数の印刷用色見本画像１１０それぞれに対応する複数の表示用色見本画像Ｄ１が表示される。各表示用色見本画像Ｄ１には、対応する印刷用色見本画像に含まれるグラデーション画像に対応する表示用グラデーション画像Ｄ１１と、パッチ画像に対応する表示用パッチ画像Ｄ１１ａ〜Ｄ１１ｋが含まれる。
また、プレビュー画面Ｇ１には、後述する色調整画面が表示された際に、操作者が調整用チャート上の印刷用色見本画像と目視比較すべき表示用色見本画像の表示用パッチ画像を示すポインタＰ１が設けられている。
【００５０】
制御部１０は、複数の表示用色見本画像のうち色相、明度、彩度を調整する表示用色見本画像の色の設定を行い（ステップＳ５）、設定した色の表示用色見本画像を提示する色調整画面を表示部１３ａに表示させる（ステップＳ６）。設定される色は、例えば、最初に純白（Ｃ＝０％、Ｍ＝０％、Ｙ＝０％、Ｋ＝０％）、次に黒ベタ（Ｃ＝０％、Ｍ＝０％、Ｙ＝０％、Ｋ＝１００％）、その後、Ｇ，Ｃ，Ｂ，Ｍ，Ｒ，Ｙの各色それぞれが順次設定される。
【００５１】
図５、図６に、ステップＳ６において表示される色調整画面の例を示す。
図５に示す色調整画面Ｇ２ａは、ステップＳ５において設定された色が純白の場合に表示されるものである。図５に示す色調整画面Ｇ２ａには、ステップＳ５において設定された色（純白）を示す参照パッチ画像Ｇ２１と、色相調整ボタンＢ１１ａ、Ｂ１１ｂ、明度調整ボタンＢ１２ａ、Ｂ１２ｂ、彩度調整ボタンＢ１３ａ、Ｂ１３ｂ、ＯＫボタンＢ１４等が設けられている。
【００５２】
参照パッチ画像Ｇ２１は、プレビュー画面Ｇ１のポインタＰ１が示す表示用パッチ画像の拡大画像である。
色相調整ボタンＢ１１ａ、Ｂ１１ｂは、参照パッチ画像Ｇ２１が表している色の色相の調整指示を受け付けるボタンである。明度調整ボタンＢ１２ａ、Ｂ１２ｂは、参照パッチ画像Ｇ２１が表している色の明度の調整指示を受け付けるボタンである。彩度調整ボタンＢ１３ａ、Ｂ１３ｂは、参照パッチ画像Ｇ２１が表している色の彩度の調整指示を受け付けるボタンである。
【００５３】
従って、色相調整ボタンＢ１１ａ、Ｂ１１ｂ、明度調整ボタンＢ１２ａ、Ｂ１２ｂ、彩度調整ボタンＢ１３ａ、Ｂ１３ｂの少なくともいずれか一つが操作されて調整指示が受け付けられることにより、当該調整指示に応じた色相、明度、彩度の少なくともいずれか一つの調整情報を含む色調整情報が入力されることとなる。
【００５４】
なお、ステップＳ５において設定された色が黒ベタの場合に表示される色彩調整画面は、参照パッチ画像Ｇ２１が黒色の印刷用色見本画像の基本色パッチに対応する表示用色見本画像の表示用パッチ画像の拡大画像であること以外は同様である。
【００５５】
図６に、ステップＳ５において設定された色がシアン（Ｃ）の場合にテップＳ６において表示される色調整画面Ｇ２ｂの例を示す。図６に示す色調整画面Ｇ２ｂには、ステップＳ６において設定された色（シアン（Ｃ））を示す参照パッチ画像Ｇ２１と、参照色調整用画像Ｇ２２と、参照ポインタＰ２と、色相調整ボタンＢ１１ａ、Ｂ１１ｂ、明度調整ボタンＢ１２ａ、Ｂ１２ｂ、彩度調整ボタンＢ１３ａ、Ｂ１３ｂ、ＯＫボタンＢ１４、ＮＧボタンＢ１５等が設けられている。
【００５６】
参照パッチ画像Ｇ２１は、プレビュー画面Ｇ１のポインタＰ１が示す表示用パッチ画像の拡大画像である。参照色調整用画像Ｇ２２は、ステップＳ５において設定された色の表示用色見本画像である。参照ポインタＰ２は、表示用色見本画像が含む複数の表示用パッチ画像のうち、参照パッチ画像Ｇ２１として表示されている表示用パッチ画像を示す。
【００５７】
なお、図６に示す色相調整ボタンＢ１１ａ、Ｂ１１ｂ、明度調整ボタンＢ１２ａ、Ｂ１２ｂ、彩度調整ボタンＢ１３ａ、Ｂ１３ｂは、図５に示す色相調整ボタンＢ１１ａ、Ｂ１１ｂ、明度調整ボタンＢ１２ａ、Ｂ１２ｂ、彩度調整ボタンＢ１３ａ、Ｂ１３ｂと同様であるため、説明は省略する。
【００５８】
本実施の形態１では、色相、明度、彩度の調整指示を、各種ボタンを用いて受け付ける例を用いて説明したが、これに限らない。例えば、色相、明度、彩度それぞれに対する調整指示を連続的に可変できるスライド式のボタンを用いて受け付けたりしてもよく、また、色相、明度、彩度を異ならせた候補を複数表示して複数の候補からいずれか一つの選択指示を受け付け、当該受け付けた候補の色相、明度、彩度を色調整情報として取得する構成としてもよい。
【００５９】
操作者は、プレビュー画面Ｇ１のポインタＰ１が示す表示用パッチ画に対応する調整用チャート上のパッチ画像（基本色パッチ）の色と、色調整画面の参照パッチ画像Ｇ２１の色とを見比べる。そして、操作者は、参照パッチ画像Ｇ２１の色が調整用チャート上の基本色パッチの色と一致するように、色調整画面の色相調整ボタンＢ１１ａ、Ｂ１１ｂ、明度調整ボタンＢ１２ａ、Ｂ１２ｂ、彩度調整ボタンＢ１３ａ、Ｂ１３ｂを押下し、色調整情報を入力する。
【００６０】
制御部１０は、操作者による色調整画面の操作により入力部１３ｂを介して入力された色調整情報を取得すると、当該色調整情報に応じて、参照パッチ画像Ｇ２１の色を示すＲＧＢ値を調整する（ステップＳ７）。
【００６１】
なお、ステップＳ７において、色調整情報に応じた色が、表示部１３ａにより再現可能な色域の限界に達していて調整不可能な場合には、その旨を報知するメッセージを表示したり、色調整情報の入力に必要な各種ボタンの押下を無効にしたりすることが好ましい。色域の限界は、参照パッチ画像Ｇ２１の色を示すＲＧＢ値で判別することができる。例えば、ＲＧＢ値の少なくともいずれか一つの値が０（最小値）又は２５５（最大値）であれば、色相と明度を現在値に固定したときの最高彩度であるため、これ以上に彩度を上げることはできず、色域の限界であるとみなすことができる。
【００６２】
制御部１０は、ＮＧボタンＢ１５が押下されたか否かを判別する（ステップＳ８）。
ＮＧボタンが押下されず、ＯＫボタンが押下された場合（ステップＳ８；ＮＯ）、制御部１０は、ステップＳ１４の処理に進む。ＯＫボタンが押下された場合、制御部１０は、ステップＳ５において設定した基本色パッチの色、即ち、ステップＳ５において設定した表示用色見本画像の色に対応する印刷用色見本画像の色を、表示部１３ａにより再現可能な色域内であるとみなす。
【００６３】
ＮＧボタンが押下された場合（ステップＳ８；ＹＥＳ）、制御部１０は、ステップＳ５において設定した基本色パッチの色、即ち、ステップＳ５において設定した表示用色見本画像の色に対応する印刷用色見本画像の色は、表示部１３ａにより再現可能な色域外であるとみなす。
【００６４】
制御部１０は、色調整画面により操作者によって調整される色を参照パッチ画像として現在設定されている表示用パッチ画像よりも低い階調の表示用パッチ画像の色（参照パッチ画像として現在設定されている表示用パッチ画像が階調１００％の基本色パッチであるため、例えば、階調９０％の表示用パッチ画像の色）に変更し、操作者が調整用チャート上で目視比較すべきパッチ画像の変更を行う（ステップＳ９）。
【００６５】
制御部１０は、色調整画面の参照パッチ画像Ｇ２１の色を、ステップＳ９において変更したパッチ画像の色に設定し、参照ポインタＰ２が示すパッチ画像の位置を当該参照パッチ画像の位置に変更して表示させる。また、制御部１０は、プレビュー画面Ｇ１のポインタＰ１の位置をステップＳ９において変更した参照パッチ画像に対応する表示用パッチ画像の位置に移動して表示させる。
【００６６】
操作者は、プレビュー画面Ｇ１のポインタＰ１が示す表示用パッチ画像に対応する調整用チャート上のパッチ画像の色と、色調整画面の参照パッチ画像Ｇ２１の色とを見比べる。そして、操作者は、参照パッチ画像Ｇ２１の色が調整用チャート上のパッチ画像の色と一致するように、色調整画面の色相調整ボタンＢ１１ａ、Ｂ１１ｂ、明度調整ボタンＢ１２ａ、Ｂ１２ｂ、彩度調整ボタンＢ１３ａ、Ｂ１３ｂを押下し、色調整情報を入力する。
【００６７】
制御部１０は、操作者による色調整画面の操作により入力部１３ｂを介して入力された色調整情報を取得すると、当該色調整情報に応じて、参照パッチ画像Ｇ２１の色を示すＲＧＢ値を調整する（ステップＳ１０）。
【００６８】
なお、ステップＳ１０において、色調整情報に応じた色が、表示部１３ａにより再現可能な色域の限界に達していて調整不可能な場合には、上述したように、その旨を報知するメッセージを表示したり、色調整情報の入力に必要な各種ボタンの押下を無効にしたりすることが好ましい。
【００６９】
制御部１０は、ＮＧボタンＢ１５が押下されたか否かを判別する（ステップＳ１１）。
ＮＧボタンが押下された場合（ステップＳ１１；ＹＥＳ）、制御部１０は、ステップＳ９の処理に戻る。
【００７０】
ＮＧボタンが押下されず、ＯＫボタンが押下された場合（ステップＳ１１；ＮＯ）、制御部１０は、色域圧縮方法調整画面を表示部１３ａに表示させる（ステップＳ１２）。
【００７１】
図７に、色域圧縮方法調整画面の例を示す。
図７に示す色域圧縮方法調整画面Ｇ３は、ステップＳ５において設定された色がシアン（Ｃ）であって、色調整画面の参照パッチ画像が６０％の階調値の色である場合にＯＫボタンが押下された際のステップＳ１２において表示される色域圧縮方法調整画面Ｇ３の例である。図７に示すように、色域圧縮方法調整画面Ｇ３には、参照色域圧縮画像Ｇ３０、スライドボタンＢ３１、ＯＫボタンＢ３２等が設けられている。
【００７２】
参照色域圧縮画像Ｇ３０は、圧縮見本グラデーション画像Ｇ３１と、圧縮基準パッチ画像Ｇ３２ａ〜３２ｋとを含んで構成されている。
圧縮見本グラデーション画像Ｇ３１は、スライドボタンＢ３１が指し示す圧縮方法に応じて連続的に階調が変化するものである。
圧縮基準パッチ画像Ｇ３２ａ〜Ｇ３２ｋは、調整用チャートのパッチ画像に対応する表示用色見本画像の表示用パッチ画像のうち、表示部１３ａにより再現可能な階調値の色の表示用パッチ画像が表示される。表示部１３ａにより再現可能な階調値の色の表示用パッチ画像とは、ステップＳ１１においてＯＫボタンが押下された際に色調整画面に表示されている参照パッチ画像Ｇ２１に対応する表示用パッチ画像の階調値以下の色の表示用パッチ画像である。
なお、表示部１３ａにより再現不可能な階調値の色の表示用パッチ画像は非表示（図７ではバツ「×」印）となる。
【００７３】
参照色域圧縮画像Ｇ３０とスライドボタンＢ３１とにより、ステップＳ５において設定された色の印刷用色見本画像に対応する表示色見本画像を表示部１３ａにより再現可能な色域内に圧縮するための圧縮方法が提示される。
【００７４】
スライドボタンＢ３１は、操作者により操作されるものであり、圧縮基準パッチ画像Ｇ３２ａ〜Ｇ３２ｋのうち表示されている階調の範囲内において、圧縮方法の選択指示を受け付ける。
【００７５】
本実施の形態１におけるスライドボタンＢ３１で提示される圧縮方法としては、階調性重視圧縮方法と、正確性重視圧縮方法とがある。
【００７６】
階調性重視圧縮方法では、印刷用色見本画像の階調性を重視させる圧縮方法であり、表示部１３ａにより再現可能な色域内の色を用いて、印刷用色見本画像の階調を再現するものである。
【００７７】
正確性重視圧縮方法では、表示部１３ａにより再現可能な色域内においては、印刷用色見本画像の色と、表示部１３ａにより再現可能な色域の色と、の正確性（一致性）を重視させる圧縮方法である。正確性重視圧縮方法では、表示部１３ａにより再現可能な色域内では、表示用色見本画像の階調値の色と印刷用色見本画像の階調値の色とが１対１の正比例の関係となる。
【００７８】
圧縮基準パッチ画像Ｇ３２ａ〜Ｇ３２ｋにより表現されている階調値の範囲内において、スライドボタンＢ３１が示す階調値を境に、階調性重視圧縮方法を適用する階調範囲と、正確性重視圧縮方法を適用する階調範囲とが操作者により指定される。
【００７９】
図８に、スライドボタンＢ３１が示す階調値に応じて、階調性重視圧縮方法による圧縮方法と正確性重視圧縮方法による圧縮方法とのイメージ図を示す。図８は、表示部１３ａにより再現可能な階調値が０〜６０％であり、スライドボタンＢ３１が４０％の階調値を示している場合の例である。図８に示すように、４０％の階調値を境にして、表示用色見本画像の圧縮方法が変化する。
【００８０】
例えば、印刷用色見本画像の０〜４０％の階調が表示部１３ａで表示される場合には、正確性重視圧縮方法を用いて、印刷用色見本画像の階調と同様の階調で表示用色見本画像の階調が表現される。一方、印刷用色見本画像の４０〜１００％の階調が表示部１３ａで表示される場合には、階調重視圧縮方法を用いて、印刷用色見本画像の４０〜１００％の階調が、表示用色見本画像の４０〜６０％の階調で表現される。
【００８１】
図９に、スライドボタンＢ３１が指し示す階調値に応じた色域圧縮方法調整画面の一部分の例を示す。図９は、表示部１３ａにより再現可能な階調値が０〜６０％である場合の例である。
【００８２】
図９（Ａ）には、スライドボタンＢ３１が示す階調値が０％である場合の例を示す。
図９（Ａ）に示すように、圧縮見本グラデーション画像Ｇ３１は、スライドボタンＢ３１が示す階調値が０％である場合、表示部１３ａにより再現可能な階調を用いて印刷用色見本画像の階調が再現されている。例えば、印刷用色見本画像の０〜１００％の階調を示す圧縮見本グラデーション画像Ｇ３１が、表示用色見本画像の０〜６０％の階調で表現される。
【００８３】
図９（Ｂ）には、スライドボタンＢ３１が示す階調値が４０％である場合の例を示す。図９（Ｂ）に示すように、圧縮見本グラデーション画像Ｇ３１は、４０％の階調値を境にして圧縮方法が異なるため階調変化が異なる。
例えば、圧縮見本グラデーション画像Ｇ３１の印刷用色見本画像の０〜４０％の階調を示す部分が、表示用色見本画像の０〜４０％の階調で表現され、圧縮見本グラデーション画像Ｇ３１の印刷用色見本画像の４０〜１００％の階調を示す部分が、表示用色見本画像の４０〜６０％の階調で表現される。
【００８４】
図９（Ｃ）には、スライドボタンＢ３１が示す階調値が６０％、即ち、表示部１３ａにより再現可能な最大階調値である場合の例を示す。
図９（Ｃ）に示すように、圧縮見本グラデーション画像Ｇ３１は、スライドボタンＢ３１が示す階調値が表示部１３ａにより再現可能な最大階調値である場合、表示部１３ａにより再現可能な色域内では、表示用色見本画像の階調値の色と印刷用色見本画像の階調値の色とが１対１の正比例の関係となるように印刷用色見本画像の階調が再現されている。
例えば、印刷用色見本画像の０〜６０％の階調を示す圧縮見本グラデーション画像Ｇ３１の部分が、表示用色見本画像の０〜６０％の階調で表現され、印刷用色見本画像の６０〜１００％の階調を示す圧縮見本グラデーション画像Ｇ３１の部分が、表示用色見本画像の６０％の階調で表現される。
【００８５】
操作者は、プレビュー画面Ｇ１のポインタＰ１が示す表示用パッチ画像に対応する調整用チャート上のパッチ画像のグラデーション画像と、色域圧縮方法調整画面Ｇ３が示す圧縮見本グラデーション画像と、を見比べながらスライドボタンＢ３１を操作し、圧縮方法の選択指示を行なう。
【００８６】
色域圧縮方法調整画面Ｇ３において、ＯＫボタンＢ３２が押下されると、制御部１０は、当該ＯＫボタンＢ３２が押下された際に設定されているスライドボタンＢ３１が示す階調値に基づく圧縮方法の選択指示を取得する（ステップＳ１３）。
【００８７】
ステップＳ１３後、又は、ステップＳ８；ＮＯ後、制御部１０は、調整用チャートに形成された複数の印刷用色見本画像に対応する複数の表示用色見本画像のうち、未調整の表示用色見本画像の色があるか否かを判別する（ステップＳ１４）。未調整の表示用色見本画像の色がある場合（ステップＳ１４；ＹＥＳ）、制御部１０は、ステップＳ５の処理に進む。
【００８８】
未調整の表示用色見本画像の色がない場合（ステップＳ１４；ＮＯ）、制御部１０は、モニタプロファイルを補正するための補正データの生成を行ない（ステップＳ１５）、当該補正データを不揮発メモリ１１に保存し、表示色調整処理を終了する。
【００８９】
ステップＳ１５において実行される補正データの生成処理の例について説明する。
制御部１０は、まず、調整用チャートに形成されている複数の印刷用色見本画像それぞれの基本色パッチの色毎に、ステップＳ３において生成された表示デバイスに依存する色空間のカラーデータ値（ＲＧＢ値）と、色調整画面でＯＫボタンが押下された際に取得した色調整情報に応じて調整された参照パッチ画像の色のＲＧＢ値と、の差分値を算出する。
【００９０】
また制御部１０は、圧縮方法の選択指示を取得している場合には、調整用チャートに形成されている複数の印刷用色見本画像の色それぞれに対して、印刷用色見本画像の各パッチ画像のステップＳ３において生成された表示デバイスに依存する色空間のカラーデータ値（ＲＧＢ値）と、圧縮方法と、色調整画面でＯＫボタンが押下された際に取得した色調整情報とに応じて調整された参照パッチ画像の色のＲＧＢ値と、に基づいて、印刷用色見本画像の各パッチ画像の表示デバイスに依存する色空間のカラーデータ値（ＲＧＢ値）を調整する。そして、制御部１０は、調整用チャートに形成されている複数の印刷用色見本画像の色それぞれに対して、ステップＳ３において生成された表示デバイスに依存する色空間のカラーデータ値（ＲＧＢ値）と、調整した印刷用色見本画像の各パッチ画像の表示デバイスに依存する色空間のカラーデータ値（ＲＧＢ値）と、の差分値を算出する。
【００９１】
制御部１０は、調整用チャートに形成されている複数の印刷用色見本画像の色それぞれに対して算出した各パッチ画像の差分値を補正データとして、不揮発メモリ１１に保存する。
【００９２】
なお、各パッチ画像間の階調値の差分値は、線形補間等を用いて算出することが好ましい。更に、各色の間で表現される色についても、各色間での各階調値の差分値を線形補間することにより、当該色の各階調値の差分値を算出して補正データとすることが好ましい。また、補正データの生成処理については、この限りではない。
【００９３】
図１０に、本実施の形態１におけるプレビュー処理のフローチャートを示す。
本実施の形態１におけるプレビュー処理は、制御部１０がプレビュー処理プログラムを実行することにより実現されるものである。
【００９４】
制御部１０は、プリントジョブのジョブデータに対して、キャリブレーション等の各種画像処理を実行する。そして、各種画像処理済みのジョブデータをプリンタプロファイル基づいて、印刷デバイスに依存する色空間のカラーデータ値（ＣＭＹＫ値）の印刷画像データに変換し、生成する（ステップＳ２１）。
【００９５】
制御部１０は、ステップＳ２１において印刷装置２により再現可能な色域に変換されたＣＭＹＫ値の印刷画像データを色彩値のデータに変換する（ステップＳ２２）。更に、制御部１０は、ステップＳ２２で生成した色彩値（Ｌ＊ａ＊ｂ＊）のデータを、モニタプロファイルに基づいて、表示デバイスに依存する色空間のカラーデータ値（ＲＧＢ値）の表示画像データに変換する（ステップＳ２３）。
【００９６】
制御部１０は、不揮発メモリ１１に保存されている補正データを読み出し、当該補正データに基づいて、表示画像データのカラーデータ値の補正を行なう（ステップＳ２４）。
ステップＳ２４では、モニタプロファイルに基づいて色域が圧縮されたデータが、更に、補正データに基づいて圧縮調整されることとなる。
【００９７】
制御部１０は、ステップＳ２４により補正された表示画像データに基づいて、プリントジョブのプレビュー画像を表示するプレビュー画面を表示部１３ａに表示させ（ステップＳ２５）、プレビュー処理を終了する。
【００９８】
なお、ステップＳ２５において表示部１３ａに表示されるプリントジョブのプレビュー画面とともに、補正データに基づいて補正された調整用チャートのプレビュー画面を表示することが好ましい。調整用チャートのプレビュー画面を表示することにより、当該調整用チャートのプレビュー画面と、調整用チャートとを操作者が見比べることにより、プリントジョブのプレビュー画面上の色が、実際にはどのような色で印刷装置２から出力されるかが把握し易くなる。
【００９９】
以上のように、本実施の形態１によれば、表示色調整処理により、操作者の主観で、プレビュー表示される画像の色を用紙に形成される画像の色に近づけることができ、プレビュー表示による用紙に形成される画像の事前確認精度の向上を図ることができる。
【０１００】
詳しくは、操作者に提示した色調整画面の参照パッチ画像で表されている表示用色見本画像の表示用パッチ画像の色と、当該提示した参照パッチ画像に対応する調整用チャートの印刷用色見本画像のパッチ画像の色と、に基づいて操作者により入力される色調整情報に基づき、当該提示した表示用パッチ画像の色を示す表示デバイスに依存する色空間のカラーデータ値を調整することができる。従って、プレビュー表示される画像の色が用紙に形成される画像の色に操作者の意図に沿って調整可能となる。
【０１０１】
本実施の形態１では、操作者が色調整画面で入力した表示用色見本画像の色の色相、明度、彩度の少なくともいずれか一つの調整情報を含む色調整情報に基づき、表示用色見本画像の色を示すカラーデータ値を調整することができる。
【０１０２】
また、印刷用色見本画像の基本色パッチの色が、表示部により再現可能な色域外の色である場合（ステップＳ８；ＹＥＳ）には、色域圧縮方法調整画面を表示することにより、印刷用色見本画像に対応する表示用色見本画像を表示部により再現可能な色域内に圧縮するための圧縮方法を操作者に対して複数種類提示でき、操作者がスライドボタン操作することにより選択された圧縮方法を適用して、表示用色見本画像の色を示すカラーデータ値を調整することができる。従って、印刷デバイスに依存する色空間のカラーデータ値が、表示デバイスに依存する色空間外であっても、操作者の意図に沿った圧縮方法を適用して、プレビュー表示される画像の色が調整可能となる。
【０１０３】
操作者により選択された圧縮方法としては、階調性重視圧縮方法と正確性重視圧縮方法とを適用して、表示用色見本画像の色を示すカラーデータ値を調整することができる。
【０１０４】
また、調整用チャートとして、連続的に階調が変化する帯状画像と、当該帯状画像の複数の階調値の色を示すパッチ画像と、を含む印刷用色見本画像が複数形成されたものを用いることができる。そのため、操作者に対して、各色の階調変化を目視確認し易くすることができる。
【０１０５】
［実施の形態２］
以下、図を参照して本発明の実施の形態２を詳細に説明する。
まず、構成を説明する。
【０１０６】
図１１に、本実施の形態２における印刷プレビュー装置３の機能的構成図を示す。
図１１に示すように、印刷プレビュー装置３は、制御部３０と、不揮発メモリ３１と、ＲＡＭ３２と、操作表示部３３と、出力部３４と、通信部３５等を備え、各部は電気的に接続されており制御部３０によって制御されている。
本実施の形態２における印刷プレビュー装置３は、通信ネットワークＮを介して印刷装置２と接続され、プリンタコントローラ機能を備えた一般的なＰＣ（Personal Computer）を用いることができる。なお、印刷装置２は、実施の形態１の印刷装置２と同様であるため、説明は省略する。
【０１０７】
制御部３０は、ＣＰＵ等から構成され、不揮発メモリ３１に格納されているシステムプログラム及び各種アプリケーションプログラムの中から指定されたプログラムを読み出してＲＡＭ３２に展開し、ＲＡＭ３２に展開されたプログラムとの協働で、各種処理を実行し、印刷プレビュー装置３の各部を集中制御する。
【０１０８】
更に、制御部３０は、不揮発メモリ３１から本実施の形態２に係る表示色調整処理プログラム、プレビュー処理プログラム、及び各種データを読み出してＲＡＭ３２に展開し、当該プログラム及びデータの協働により表示色調整処理やプレビュー処理を実行させる。
なお、プレビュー処理は、実施の形態１のプレビュー処理と同様であるため、図示及び説明は省略する。
【０１０９】
表示色調整処理では、まず、実施の形態１と同様に、複数の印刷用色見本画像が形成された調整用チャートが印刷装置２から出力される。
また、複数の印刷用色見本画像にそれぞれ対応する複数の表示用色見本画像（調整用チャートのプレビュー画像）を表示するプレビュー画面が操作表示部３３の表示部３３ａに表示される。
なお、調整用チャートは、実施の形態１と同様であるため、図示及び説明は省略する。
【０１１０】
次に、本実施の形態２における表示色調整処理では、プレビュー画面上の複数の表示用色見本画像それぞれを順次提示する色彩測定画面が表示部３３ａに表示され、提示された表示用色見本画像の色の色彩値と、当該提示された表示用色見本画像に対応する印刷用色見本画像の色の色彩値とが測色器を用いて操作者により入力され、当該入力された色彩値が色調整情報として取得される。この取得された色調整情報に基づき、提示した表示用色見本画像の色を示すカラーデータ値（ＲＧＢ値）が調整される。
【０１１１】
また、表示色調整処理では、提示した表示用色見本画像に対応する印刷用色見本画像の色が、表示部３３ａにより再現可能な色域外の色である場合、当該印刷用色見本画像に対応する表示用色見本画像を表示部３３ａにより再現可能な色域内に圧縮するための圧縮方法を操作者に対して複数種類提示する色域圧縮方法調整画面が表示部３３ａに表示される。この色域圧縮方法調整画面により操作者により選択された圧縮方法を適用して、表示用色見本画像の色を示すカラーデータ値を調整するための補正データが生成され、当該補正データが不揮発メモリ３１に記憶される。
【０１１２】
不揮発メモリ３１は、システムプログラム及び各種アプリケーションプログラム、各種データの他、本実施の形態２に係る表示色調整処理プログラム、プレビュー処理プログラム、及びこれらのプログラムの実行に必要な各種データ、各種プログラムで処理されたデータ等を記憶する。
【０１１３】
ＲＡＭ３２、操作表示部３３、出力部３４は、実施の形態１に記載のＲＡＭ１２、操作表示部１３、出力部１４と同様であるため、説明は省略する。
【０１１４】
通信部３５は、ＵＳＢドライバ等の各種外部装置のドライバを備え、ＵＳＢケーブル等の通信回線を介して外部装置とのデータ通信の制御等を行う。また、本実施の形態２の通信部３５は、測色器４と接続され、当該測色器４とのデータ通信の制御を行なう。
【０１１５】
測色器４は、印刷装置２から出力された調整用チャートに形成された複数の印刷用色見本画像のパッチ画像を測色し、また、表示部３３ａに表示された表示色見本画像の表示用パッチ画像の拡大画像（参照パッチ画像）を測色し、それぞれの測色データを生成する。測色データは、Ｌ＊ａ＊ｂ＊、ＸＹＺ等のデバイスに依存しない表色系で表される色彩値のデータである。
【０１１６】
次に、本実施の形態２の動作を説明する。
図１２に、本実施の形態２における表示色調整処理のフローチャートを示す。
本実施の形態２における表示色調整処理は、制御部３０が表示色調整処理プログラムを実行することにより実現されるものである。
【０１１７】
ステップＳ３１〜Ｓ３５は、実施の形態１の図３に示すステップＳ１〜Ｓ５と同様の処理であるため、説明は省略する。
【０１１８】
制御部３０は、ステップＳ３５において設定した色の色彩測定画面を表示部１３ａに表示させる（ステップＳ３６）。
【０１１９】
色彩測定画面には、測色用パッチ画像、メッセージ等が設けられている。
測色用パッチ画像は、ステップＳ３５において設定した色のプレビュー画面Ｇ１のポインタＰ１が示す表示用色見本画像の表示用パッチ画像の拡大画像である。
メッセージは、測色用パッチ画像と、プレビュー画面Ｇ１のポインタＰ１が示す表示用色見本画像の表示用パッチ画像に対応する調整用チャートのパッチ画像と、を測色器にて測定する指示を操作者に報知するものである。
【０１２０】
操作者は、測色器を用いて、プレビュー画面Ｇ１のポインタＰ１が示す表示用パッチ画像（基本色パッチ）に対応する調整用チャート上のパッチ画像（基本色パッチ）の色彩値の測定を行なう。また、操作者は、測色器を用いて、色彩測定画面の測色用パッチ画像の色彩値の測定を行なう。
色彩測定画面の測色用パッチ画像は、プレビュー画面Ｇ１のポインタＰ１が示す表示用色見本画像の表示用パッチ画像の拡大画像であるため、色彩測定画面の測色用パッチ画像の色彩値を測定することは、プレビュー画面Ｇ１のポインタＰ１が示す表示用色見本画像の表示用パッチ画像の色彩値を測定することになる。
【０１２１】
制御部３０は、操作者による測色器の操作により通信部３５を介して入力された調整用チャートのパッチ画像の色彩値と、色彩測定画面の測定用パッチ画像の色彩値とを、色調整情報として取得する（ステップＳ３７）。
【０１２２】
制御部３０は、取得した色彩測定画面の測定用パッチ画像の色彩値と、取得した調整用チャートのパッチ画像の色彩値との差が小さくなるように、色彩測定画面の測定用パッチ画像のＲＧＢ値を調整する（ステップＳ３８）。
【０１２３】
制御部３０は、調整用チャートのパッチ画像の色彩値と、ステップＳ３８での調整済みの色彩測定画面の測定用パッチ画像の色彩値と、の差が閾値（例えば、ΔＥ＝５）以上か否かを判別する（ステップＳ３９）。
【０１２４】
色彩値の差が閾値未満の場合（ステップＳ３９；ＮＯ）、制御部３０は、ステップＳ４６の処理に進む。ステップＳ３９；ＮＯの場合、制御部３０は、ステップＳ３５において設定した基本色パッチの色、即ち、ステップＳ３５において設定した表示用色見本画像の色に対応する印刷用色見本画像の色を、表示部３３ａにより再現可能な色域内であるとみなす。
【０１２５】
色彩値の差が閾値以上の場合（ステップＳ３９；ＹＥＳ）、制御部３０は、ステップＳ３５において設定した基本色パッチの色、即ち、ステップＳ３５において設定した表示用色見本画像の色に対応する印刷用色見本画像の色は、表示部３３ａにより再現可能な色域外であるとみなす。
【０１２６】
制御部３０は、色彩測定画面により操作者によって測色される色を測定用パッチ画像として現在設定されている表示用パッチ画像よりも低い階調の表示用パッチ画像の色（測定用パッチ画像として現在設定されている表示用パッチ画像が階調１００％の基本色パッチであるため、例えば、階調９０％の表示用パッチ画像の色）に変更し、操作者が色彩値を測定すべきパッチ画像の変更を行う（ステップＳ４０）。
【０１２７】
制御部３０は、色彩測定画面の測定用パッチ画像の色を、ステップＳ４０において変更した表示用パッチ画像の色に設定する。また、制御部３０は、プレビュー画面Ｇ１のポインタＰ１の位置をステップＳ４０において変更した表示用パッチ画像に対応する位置に移動して表示させる。
【０１２８】
操作者は、測色器を用いて、プレビュー画面Ｇ１のポインタＰ１が示す表示用パッチ画像に対応する調整用チャート上のパッチ画像の色彩値の測定を行なう。また、操作者は、色彩測定画面上の測定用パッチ画像の色彩値の測定を行なう。
【０１２９】
制御部３０は、操作者による測色器の操作により通信部３５を介して入力された調整用チャートのパッチ画像の色彩値と、色彩測定画面の測定用パッチ画像の色彩値とを、色調整情報として取得する（ステップＳ４１）。
【０１３０】
制御部３０は、取得した色彩測定画面の測定用パッチ画像の色彩値と、取得した調整用チャートのパッチ画像の色彩値との差が小さくなるように、色彩測定画面の測定用パッチ画像のＲＧＢ値を調整する（ステップＳ４２）。
【０１３１】
制御部３０は、調整用チャートのパッチ画像と、ステップＳ４２での調整済みの色彩測定画面の測定用パッチ画像の色彩値と、の差が閾値（例えば、ΔＥ＝５）以上か否かを判別する（ステップＳ４３）。
【０１３２】
色彩値の差が閾値以上の場合（ステップＳ４３；ＹＥＳ）、制御部３０は、ステップＳ４０の処理に戻る。色彩値の差が閾値未満の場合（ステップＳ４３；ＮＯ）、制御部３０は、色域圧縮方法調整画面を表示部３３ａに表示させる（ステップＳ４４）。
【０１３３】
ステップＳ４４〜Ｓ４７は、実施の形態１の図３に示すステップＳ１２〜Ｓ１５と同様の処理であるため、説明は省略する。
【０１３４】
以上のように、本実施の形態２によれば、表示色調整処理により、測定された色彩値に従って、プレビュー表示される画像の色を用紙に形成される画像の色に近づけることができ、プレビュー表示による用紙に形成される画像の事前確認精度の向上を図ることができる。
【０１３５】
詳しくは、操作者に提示した色彩測定画面の参照パッチ画像で表されている表示用色見本画像の表示用パッチ画像の色彩値と、当該提示した参照パッチ画像に対応する調整用チャートの印刷用色見本画像のパッチ画像の色彩値とが、操作者によって操作される測色器から入力され、入力されたそれぞれの色彩値（色調整情報）に基づき、当該提示した表示用パッチ画像の色を示す表示デバイスに依存する色空間のカラーデータ値を調整することができる。従って、プレビュー表示される画像の色が用紙に形成される画像の色に操作者の意図に沿って調整可能となる。
【０１３６】
また、印刷用色見本画像の基本色パッチの色が、表示部により再現可能な色域外の色である場合（ステップＳ３９；ＹＥＳ）には、実施の形態１と同様に、色域圧縮方法調整画面を表示することにより、印刷用色見本画像に対応する表示用色見本画像を表示部により再現可能な色域内に圧縮するための圧縮方法を操作者に対して複数種類提示でき、操作者がスライドボタン操作することにより選択された圧縮方法を適用して、表示用色見本画像の色を示すカラーデータ値を調整することができる。従って、印刷デバイスに依存する色空間のカラーデータ値が、表示デバイスに依存する色空間外であっても、操作者の意図に沿った圧縮方法を適用して、プレビュー表示される画像の色が調整可能となる。
【０１３７】
操作者により選択された圧縮方法としては、階調性重視圧縮方法と正確性重視圧縮方法とを適用して、表示用色見本画像の色を示すカラーデータ値を調整することができる。
【０１３８】
また、調整用チャートとして、連続的に階調が変化する帯状画像と、当該帯状画像の複数の階調の色を示すパッチ画像と、を含む印刷用色見本画像が複数形成されたものを用いることができる。そのため、操作者に対して、各色の階調変化を目視確認し易くすることができる。
【０１３９】
なお、本実施の形態１、２では、プリンタコントローラ機能を備えた印刷プレビュー装置１又は３と印刷装置２とが通信ネットワークＮを介して接続された構成である場合について説明するが、この構成に限らない。例えば、印刷プレビュー装置１又は３と印刷装置２とを備えた複合装置に適用することも可能である。
【０１４０】
以上の説明では、本発明に係るプログラムのコンピュータ読み取り可能な媒体として、不揮発メモリ１１又は３１を使用した例を開示したが、この例に限定されない。
その他のコンピュータ読み取り可能な媒体として、フラッシュメモリ等の不揮発性メモリ、ＣＤ-ＲＯＭ等の可搬型記録媒体を適用することが可能である。
また、本発明に係るプログラムのデータを通信回線を介して提供する媒体として、キャリアウエーブ(搬送波)も本発明に適用される。
【０１４１】
また、本発明は、上記実施の形態１、２の内容に限定されるものではなく、本発明の主旨を逸脱しない範囲で適宜変更可能である。
【符号の説明】
【０１４２】
１、３  印刷プレビュー装置
２  印刷装置
４  測色器
１０  制御部
１１  不揮発メモリ
１３  操作表示部
１３ａ  表示部
１３ｂ  入力部
１４  出力部
１５  通信部
３０  制御部
３１  不揮発メモリ
３３  操作表示部
３３ａ  表示部
３４  出力部
３５  通信部
１００  調整用チャート
１１０  印刷用色見本画像
１１１  グラデーション画像
１１２ａ〜１１２ｋ  パッチ画像
Ｂ１１ａ、Ｂ１１ｂ  色相調整ボタン
Ｂ１２ａ、Ｂ１２ｂ  明度調整ボタン
Ｂ１３ａ、Ｂ１３ｂ  彩度調整ボタン
Ｂ１４  ＯＫボタン
Ｂ１５  ＮＧボタン
Ｂ３１  スライドボタン
Ｂ３２  ＯＫボタン
Ｄ１  表示用色見本画像
Ｄ１１  表示用グラデーション画像
Ｄ１２ａ〜Ｄ１２ｋ  表示用パッチ画像
Ｇ１  プレビュー画面
Ｇ２ａ、Ｇ２ｂ  色調整画面
Ｇ３  色域圧縮方法調整画面
Ｇ２１  参照パッチ画像
Ｇ２２  参照色調整用画像
Ｇ３０  参照色域圧縮画像
Ｇ３１  圧縮見本グラデーション画像
Ｇ３２ａ〜Ｇ３２ｋ  圧縮基準パッチ画像
Ｎ  通信ネットワーク
Ｐ１  ポインタ
Ｐ２  参照ポインタ
【図１】
2012004931.tif 000003
【図３】
2012004931.tif 000004
【図５】
2012004931.tif 000005
【図８】
2012004931.tif 000006
【図１０】
2012004931.tif 000007
【図１１】
2012004931.tif 000008
【図１２】
2012004931.tif 000009
【図２】
2012004931.tif 000010
【図４】
2012004931.tif 000011
【図６】
2012004931.tif 000012
【図７】
2012004931.tif 000013
【図９】
2012004931.tif 000014